(57)【特許請求の範囲】
【請求項１】
複数の展示エリアを有する展示場において、各展示エリアごとに展示物に関する情報を配信する展示情報配信システムであって、
各展示エリアごとに展示物に関する情報を保存するサーバと、展示エリアに設置され、且つ所定強度の電波を出力する通信装置と、利用者に携帯され、且つ前記通信装置からの電波を受信する携帯情報端末とを備え、
前記サーバは、前記携帯情報端末が展示エリア内において前記通信装置から受信した電波の強度を前記携帯情報端末から前記通信装置を介して収集したあと、該電波の強度が起動通信範囲に対応する第１の電波強度以上であるか否かを判定し、該電波の強度が第１の電波強度以上であると判定した場合、前記携帯情報端末に対して当該展示エリアの展示物に関する情報を前記通信装置を介して送信し、
さらに前記携帯情報端末が展示エリアにおいて前記通信装置から受信した電波の強度が第１の電波強度よりも低い、継続通信範囲に対応する第２の電波強度以上であるか否かを判定し、該電波の強度が第２の電波強度以上であると判定した場合、前記携帯情報端末に対して当該展示エリアの展示物に関する情報を前記通信装置を介して送信することを継続する一方、該電波の強度が第２の電波強度未満であると判定した場合、前記携帯情報端末に対して当該展示エリアの展示物に関する情報を前記通信装置を介して送信すること中止することを特徴とする展示情報配信システム。
【請求項２】
前記通信装置は、前記携帯情報端末が展示エリアにおいて前記通信装置から受信した電波の強度が第１の電波強度よりも低い第３の電波強度以上であるか否かを判定し、該電波の強度が第３の電波強度以上であると判定した場合、前記サーバに対して当該電波の強度に関する情報を送信する請求項１に記載の展示情報配信システム。
【請求項３】
前記通信装置は、メッシュ状導体を有する第１導電体層と、該第１導電体層と略平行に配設される第２導電体層と、前記第１導電体層と前記第２導電体層との間に配設される誘電体層とを有し、前記第１導電体層と前記第２導電体層の間の誘電体層において、電磁波を介して所定の信号を伝達する薄板状に形成されている電波伝達シートが用いられる請求項１または請求項２に記載の展示情報配信システム。
【発明の詳細な説明】
【技術分野】
【０００１】
本発明は、美術館、博物館、見本市、広告現場などの複数の展示エリアを有する展示場にて、各展示エリアの展示物に関する情報を利用者の携帯情報端末に配信する展示情報配信システムに関するものである。
【背景技術】
【０００２】
美術館、博物館、あるいは見本市などでは、一般に複数の展示エリアを有し、各展示エリアごとに展示物が展示されている。利用者は、展示物が設置されている展示エリアに入り、そこの展示物を閲覧して鑑賞するが、鑑賞に際して展示物の説明も併せて閲覧する場合が多い。多くの美術館などでは展示物の近傍位置に説明文が記載された案内板が設置されており、利用者がその案内板の説明文を読むことにより展示物の理解をさらに深めることとなる。
【０００３】
ところが、人気の展示物である場合、展示エリアに多数の人が殺到して案内文の説明文を十分に読むことができない場合がある。また、展示エリアのスペースも限られているために案内板の大きさも限定される上に、動画や音声による個別の情報配信にも限界がある。
【０００４】
そこで、最近では、各展示場において利用者に携帯情報端末を貸与し、利用者が展示物に近づいたときに携帯情報端末を操作して、当該展示物に関する情報を携帯情報端末に表示させて閲覧することが行われている。
【０００５】
例えば、特許文献１には、場所に関わらず所望の美術品を観覧することができ、移動中に展示情報を閲覧できる無線通信を用いた展示情報サービスシステム及び方法が提案されている。
【０００６】
また、特許文献２には、利用者がほしいと思う展示情報を展示メニューから選択でき、展示コーナの展示物解説メニューを情報管理サーバが自動作成し、展示物設置場所情報の変更が自動で行われデータベースの維持管理を容易にする展示物解説システムが提案されている。
【先行技術文献】
【特許文献】
【０００７】
【特許文献１】特開２００２−２４７６２５号公報
【特許文献２】特開２００５−１８１８１９号公報
【発明の概要】
【発明が解決しようとする課題】
【０００８】
しかしながら、従来のシステムでは、展示エリアが接近している場合、同時に基地局となる通信装置が接近することとなり、通信範囲が重複してしまう場合がある。このように通信範囲が重複すると、利用者は一方の展示物の説明を受けたいにもかかわらず、隣の展示物の説明が表示されてしまう問題がある。もとより、通信範囲が重複しないように展示エリアを離すことも考えられるが、展示場の場所の制限からしても非効率的なものである。あるいは通信範囲を互いに変更することも考えられるが、従来のシステムでは通信範囲を制度良く変更することは難しかった。
【０００９】
本発明は、上述の問題に鑑みてなされたものであって、各展示エリアの通信範囲を精度良く設定することができ、ひいては隣り合う展示エリアの展示情報を重複することなく簡単かつ確実に配信することが可能な展示情報配信システムの提供を目的とする。
【課題を解決するための手段】
【００１０】
本発明は、上記目的を達成するために、複数の展示エリアを有する展示場において、各展示エリアごとに展示物に関する情報を配信する展示情報配信システムであって、各展示エリアごとの展示物に関する情報を保存するサーバと、展示エリアに設置され、且つ所定強度の電波を出力する通信装置と、利用者に携帯され、且つ前記通信装置からの電波を受信する携帯情報端末とを備え、前記携帯情報端末は、展示エリア内において前記通信装置から受信した電波の強度が第１の電波強度以上であるか否かを判定し、該電波の強度が第１の電波強度以上であると判定した場合、前記サーバに対して当該展示エリアの展示物に関する情報を前記通信装置を介して要求することにより、前記サーバから当該展示エリアの展示物に関する情報を前記通信装置を介して受信することを特徴とする。
【００１１】
なお、本発明において、展示場とは、美術館、博物館、見本市、広告現場など、ユーザに対して展示物を閲覧せしめる場のすべてが含まれる。このため展示物も、それらに応じて美術品、博物品、展示商品、広告物（看板、ポスター、持ち帰り可能な雑誌やチラシの束等）などとなる。
【００１２】
これによれば、携帯情報端末が電波の強度が第１の電波強度以上であるか否かを判定し、第１の電波強度以上である場合に通信起動を開始するため、展示エリアにおいて携帯情報端末が通信を起動するための通信範囲を精度良く設定することができる。
【００１３】
また、前記携帯情報端末は、さらに前記通信装置から受信した電波の強度が第１の電波強度よりも低い第２の電波強度以上であるか否かを判定し、該電波の強度が第２の電波強度以上であると判定した場合、当該展示エリアの展示物に関する情報の受信を継続する一方、第２の電波強度未満であると判定した場合、当該展示エリアの展示物に関する情報の受信を中止するのが好ましい。
【００１４】
これによれば、携帯情報端末が電波の強度が第２の電波強度以上であるか否かを判定して、第２の電波強度以上か否かにより通信を継続する否かを決定するため、展示エリアにおいて携帯情報端末が通信を継続するための通信範囲を制度良く設定することができる。
【００１５】
本発明は、上記目的を達成するために、複数の展示エリアを有する展示場において、各展示エリアごとに展示物に関する情報を配信する展示情報配信システムであって、各展示エリアごとに展示物に関する情報を保存するサーバと、展示エリアに設置され、且つ所定強度の電波を出力する通信装置と、利用者に携帯され、且つ前記通信装置からの電波を受信する携帯情報端末とを備え、前記サーバは、前記携帯情報端末が展示エリア内において前記通信装置から受信した電波の強度を前記携帯携帯情報端末から前記通信装置を介して収集したあと、該電波の強度が第１の電波強度以上であるか否かを判定し、該電波の強度が第１の電波強度以上であると判定した場合、前記携帯情報端末に対して当該展示エリアの展示物に関する情報を前記通信装置を介して送信することを特徴とする。
【００１６】
これによれば、サーバが携帯情報端末が受信した展示エリアの通信装置から出力された電波の強度が第１の電波強度以上であるか否かを判定し、第１の電波強度以上である場合に通信起動を開始するため、展示エリアにおいて携帯情報端末が通信を起動するための通信範囲を精度良く設定することができる。
【００１７】
また、前記サーバは、さらに前記携帯情報端末が展示エリアにおいて前記通信装置から受信した電波の強度が第１の電波強度よりも低い第２の電波強度以上であるか否かを判定し、該電波の強度が第２の電波強度以上であると判定した場合、前記携帯情報端末に対して当該展示エリアの展示物に関する情報を前記通信装置を介して送信することを継続する一方、該電波の強度が第２の電波強度未満であると判定した場合、前記携帯情報端末に対して当該展示エリアの展示物に関する情報を前記通信装置を介して送信すること中止するのが好ましい。
【００１８】
これによれば、サーバが電波の強度が第２の電波強度以上であるか否かを判定して、第２の電波強度以上か否かにより通信を継続する否かを決定するため、展示エリアにおいて携帯情報端末が通信を継続するための通信範囲を制度良く設定することができる。
【００１９】
また、前記通信装置は、前記携帯情報端末が展示エリアにおいて前記通信装置から受信した電波の強度が第１の電波強度よりも低い第３の電波強度以上であるか否かを判定し、該電波の強度が第３の電波強度以上であると判定した場合、前記サーバに対して当該電波の強度に関する情報を送信するのが好ましい。
【００２０】
これによれば、携帯情報端末から受信した電波の強度に関する情報を全て電波強度収集サーバに送信するのではなく、所定の強度以上のものだけサーバに送信することによって、サーバの負荷を軽減させることができる。
【００２１】
また、前記通信装置は、メッシュ状導体を有する第１導電体層と、該第１導電体層と略平行に配設される第２導電体層と、前記第１導電体層と前記第２導電体層との間に配設される誘電体層とを有し、前記第１導電体層と前記第２導電体層の間の誘電体層において、電磁波を介して所定の信号を伝達する薄板状に形成されている電波伝達シートが用いられるのが好ましい。これによれば、電波伝達シートが薄い２次元シートに形成されているため、通信装置の設置場所も取付場所もコンパクトに設置することができる。また、電波伝達シートを加工すれば、博物館や美術館などでは絵画の額縁や額縁裏板などに利用することができる。さらに展示物の説明が記載されている案内板にも利用することができ、会場内の雰囲気を壊すことのない設置が可能である。
【発明の効果】
【００２２】
本発明によれば、携帯情報端末またはサーバが、携帯情報端末が通信装置から受信した電波の強度が第１の電波強度以上であるか否かを判定し、該電波の強度が第１の電波強度以上である場合に通信起動を開始するため、展示エリアにおいて携帯情報端末が通信を起動するための通信範囲を精度良く設定することができる。
【００２３】
このように各展示エリアの通信装置と利用者の携帯情報端末の距離を電波強度から判定することにより展示情報の配信が開始されるため、展示エリアの展示物ごとにチャンネルを切り替える必要がなく、展示物に近づくことで携帯情報端末に展示物の説明が開始され、また他の展示物に近づけば、別の展示情報に自動で切り替わることができる。
【００２４】
また、展示情報はデジタルデータのため、マルチリンガルや大人・子供用への説明の切替も容易に行うことができる。また、コンテンツはテキスト・静止画はもとより、オンデマンドの動画の配信も可能である。また、インターネットに接続することにより、外部の知識データの利用も可能になる。
【００２５】
さらに屋内の展示場だけでなく、屋外の展示場にも簡単に設置することが可能である。
【図面の簡単な説明】
【００２６】
【図１】第１実施形態に係る本システムの構成概略図である。
【図２】図１のコンテンツサーバの構成概略図である。
【図３】図１の通信装置の構成概略図である。
【図４】図１の携帯情報端末の構成概略図である。
【図５】展示エリアと展示情報のテーブルを示す図である。
【図６】通信装置における距離と電波強度の関係を示す図である。
【図７】（ａ）展示エリアＡの通信装置、（ｂ）展示エリアＢの通信装置、（ｃ）展示エリアＣの通信装置における距離と電波強度の関係をグラフ化した図である。
【図８】通信装置の起動通信範囲と継続通信範囲の模式図である。
【図９】電波伝達シートの斜視図である。
【図１０】電波伝達シートの（ａ）平面図と、（ｂ）拡大断面図である。
【図１１】携帯情報端末の動作を示すフローチャートである。
【図１２】第２実施形態に係る本システムの構成概略図である。
【図１３】図１２の電波強度収集サーバの構成概略図である。
【図１４】図１２の通信装置の構成概略図である。
【図１５】図１２の携帯情報端末の構成概略図である。
【発明を実施するための形態】
【００２７】
［実施形態１］
次に本発明の一実施形態に係る展示情報配信システム（以下、本システムという）について説明する。
【００２８】
本システムは、図１に示すように、中央に設置されるサーバ群１０と、各展示エリアに設置される複数の通信装置２０と、各利用者が携帯する複数の携帯情報端末３０とから構成される。
【００２９】
サーバ群１０と各通信装置２０は有線ＬＡＮにより通信可能な状態に接続されている。また、各通信装置２０と各携帯情報端末３０は無線により通信可能な状態になっている。
＜サーバ群１０＞
【００３０】
前記サーバ群１０は、利用者の携帯情報端末３０を認証する認証サーバ１１と、利用者の携帯情報端末３０の受信ログを収集するＤＢサーバ１２と、各展示エリアの展示物に関する情報（以下、展示情報という）を保存するコンテンツサーバ１３とから構成される。
【００３１】
前記認証サーバ１１は、利用者の携帯情報端末３０が所定の通信範囲内に入った場合、当該利用者の携帯情報端末３０が許可されたものであるか否かを通信装置２０を介して認証するサーバである。認証サーバ１１にて利用者の携帯情報端末３０が認証された場合、後述するようにコンテンツとなる展示情報が利用者の携帯情報端末３０への配信処理が進む。一方、認証サーバ１１にて利用者の携帯情報端末３０が認証されなかった場合、その後の配信処理は進まない。
【００３２】
前記ＤＢサーバ１２は、利用者の携帯情報端末３０の受信ログを収集するサーバである。すなわち、どの利用者の携帯情報端末３０がどの展示エリアにどれくらいの時間存在したかの情報を収集するものである。例えば、利用者の携帯情報端末３０が展示エリアＡに近づいて所定の通信範囲内に入った場合、電波強度を利用して利用者の携帯情報端末３０の位置の時間経過を収集する。
【００３３】
前記コンテンツサーバ１３は、各展示エリアの展示情報を保存するサーバである。このコンテンツサーバ１３は、図２に示すように、各部を制御する制御装置１３１と、展示情報テーブルを記憶する記憶装置１３２と、展示エリアの展示情報を通信装置２０に送信する有線通信装置１３３を備える。
【００３４】
前記記憶装置１３２は、図５に示すような展示情報テーブルを記憶している。この展示情報テーブルは、コードNo.、各展示エリア、展示情報を互いに関連付けられたものである。例えば、展示エリアＡには展示情報「tenji-a.avi」が関連付けられている。
【００３５】
前記制御装置１３１は、前記通信装置２０からの要求に応じて、当該通信装置２０が設置されている展示エリアの展示情報を検索する展示情報検索部１３１１として機能する。例えば、展示エリアＡの通信装置２０から展示情報の要求があった場合、記憶装置１３２に記憶している展示情報テーブルを参照し、展示エリアＡの展示情報「tenji-a.avi」を検索する。なお、制御装置１３１は、その他の種々の制御を実行する。
【００３６】
前記有線通信装置１３３は、前記制御装置１３１の展示情報検索部１３１１により検索された展示エリアの展示情報を通信装置２０に送信する。例えば、前記制御装置１３１の展示情報検索部１３１１により展示エリアＡの展示情報「tenji-a.avi」が検索された場合、当該展示情報「tenji-a.avi」を展示エリアＡの通信装置２０に送信する。
＜通信装置２０＞
【００３７】
前記通信装置２０は、各展示エリアに設置されたアクセスポイント（基地局）となる通信装置２０である。この通信装置２０は、図３に示すように、各部を制御する制御装置２１と、各サーバと通信するための有線通信装置２２、展示情報を一時的に記憶する記憶装置２３と、利用者の携帯情報端末３０と通信するための無線通信装置２４とを備える。
【００３８】
本実施形態では、有線通信装置２２としてＬＡＮ通信が用いられ、また無線通信装置２４として、いわゆるWi-Fi通信（Wireless Fidelity）が用いられる。このWi-Fi通信は、 Wi-Fi Alliance によって無線LAN機器間の相互接続性を認証されたことを示すものである。通信規格であるIEEE 802.11シリーズ（IEEE 802.11a/IEEE 802.11b）を利用した無線機器間の相互接続に用いられ、本実施形態に係る通信装置２０と携帯情報端末３０はこれらの規格が認証されている。
【００３９】
前記制御装置２１は、携帯情報端末３０からの要求に応じて、コンテンツサーバ１３に対して自己の通信装置２０が設置されている展示エリアの展示情報を要求する展示情報要求部２１１として機能する。例えば、展示エリアＡの通信装置２０の場合、制御装置２１は、携帯情報端末３０から無線通信装置２４を介して要求を受信すると、コンテンツサーバ１３に対して有線通信装置２２を介して展示エリアＡの展示物情報を要求する。
【００４０】
前記有線通信装置２２は、コンテンツサーバ１３から送信されてきた展示エリアの展示情報を受信する展示情報受信部２２１として機能する。例えば、展示エリアＡの通信装置２０の場合、有線通信装置２２は、コンテンツサーバ１３から送信されてきた展示エリアＡの展示情報「tenji-a.avi」を受信する。なお、この展示エリアＡの展示情報「tenji-a.avi」は記憶装置２３に一時的に記憶される。
【００４１】
前記無線通信装置２４は、自己の通信装置２０が設置されている展示エリアの展示情報を携帯情報端末３０に送信する展示情報送信部２４１として機能する。例えば、展示エリアＡの通信装置２０の場合、無線通信装置２４は、コンテンツサーバ１３から送信されてきた展示エリアＡの展示情報「tenji-a.avi」を携帯情報端末３０に送信する。
【００４２】
また、前記無線通信装置２４は、所定の強度の電波を出力する電波出力部２４２としても機能する。この電波強度については、各展示エリアの通信装置２０ごとに、図６に示すように、それぞれ所定の異なる出力設定となされている。例えば、展示エリアＡの通信装置２０は出力設定−１２dbm、展示エリアＢの通信装置２０は出力設定−１５dbm、展示エリアＣの通信装置２０は出力設定−１８dbmにて電波を出力している。
【００４３】
そして、同じく図６に示すように、各通信装置２０から出力された電波は、距離が遠くなるにつれて（０cm→５０cm→１００cm→２００cm→３００cm→４００cm→５００cm）、電波強度が次第に弱くなっていく。各展示エリアの通信装置２０ともに、第１回目から第３回目まで電波強度と距離の関係を測定している。
【００４４】
図７は、この電波強度と距離の関係を視覚的にわかりやすくするために  グラフ化したものである。このグラフを見ると、電波強度と距離の関係は必ずしも完全に一致するものではないが、各展示エリアの通信装置２０ともに第１回目から第３回目の実験結果のいずれも概ね同じ傾向を示していることがわかる。
【００４５】
本実施形態では、このうち電波強度−７５dbmを第１電波強度としている。この場合、展示エリアＡの通信装置２０では距離１００cm、展示エリアＢの通信装置２０では距離７５cm、展示エリアＢの通信装置２０では距離５０cmが対応している。図８に示すように、これらはまさに各展示エリアにおいて利用者の携帯情報端末３０が起動するための「起動通信範囲」となる。
【００４６】
このように電波強度と距離に一定の関係があることから、各展示エリアの通信装置２０の出力設定を変更することにより、各展示エリアの起動通信範囲を制度良く設定することができる。
【００４７】
なお、本実施形態では、電波強度が−７５dbmを第１電波強度としているが、これらに限定されるものではなく、第１電波強度となる電波強度の設定を変更してもよい。
＜通信装置２０の具体例（電波伝達シート）＞
【００４８】
図９は、本実施形態に係る通信装置２０の斜視図である。
【００４９】
この通信装置２０は、電波伝達シート（以下、本シートという）１００と収容ボックス２００からなり、収容ボックス２００内には制御装置２１、有線通信装置２２、記憶装置２３などの各装置が収容されている。
【００５０】
本シート１００は、電波（電磁波を含む）を介して情報を送信したり或いは受信するものであり、確実に情報の送受信を行う上に、シート状の薄い形状であるために省スペースで目立たない状態に設置することができる。
【００５１】
本シート１００について具体的に説明する。以下では、説明を容易にするため、電波の伝達に用いる周波数帯において導電体であるものを「導電体」と呼び、当該周波数帯において誘電体であるものを「誘電体」と呼ぶ。したがって、例えば直流電流に対して導体であるか半導体であるか等によって、何ら制約されるものではない。また、誘電体と導電体とは、電波との関係において特性により定義されるものであって、固体であるか液体であるか気体であるか等の態様を制約するものではない。
【００５２】
図１０は、本実施形態に係る本シート１００の概略構成を示す説明図である。図１０（ａ）は、本シート１００の平面図を示し、図１０（ｂ）は、本シート１００のＡ−Ａ’断面図を示す。
【００５３】
図１０（ｂ）に示すように、本シート１００は、メッシュ状の第１導電体１１０と、これに略平行な平板状の第２導電体１２０とを備えており、典型的にはいわゆる通信シートと称される二次元シートである。第１導電体１１０は、第２導電体１２０に対して、図１０においては上方に設けられている。図１０（ａ）において、第１導電体１１０は、略正方形のメッシュ状に構成される。
【００５４】
また、第１導電体１１０と第２導電体１２０との間に、誘電体層として空気を介在させた場合には、第１導電体１１０の略正方形の開口から第２導電体１２０が透けて見える。しかし、第１導電体１１０と第２導電体１２０との間に、不透明な誘電体層を介在させた場合には、第１導電体１１０の開口から第２導電体１２０は見えない。ここで、不透明な誘電体層として、例えば柔軟性のある樹脂板等を用いてもよい。
【００５５】
また、誘電体層としては、例えば発泡部材のように、ある程度の強度と柔軟性と軽量性と美観とを兼ね備えた部材を用いることが好ましい。また、メッシュの繰り返し単位（メッシュ周期）は、典型的には隣合う正方形開口の中心同士の距離に等しい。
【００５６】
図１０（ｂ）において、第１導電体１１０と第２導電体１２０の間に、誘電体としての狭間領域１３０が設けられ、第１導電体１１０の上方に電波が侵出する侵出領域１４０が設けられる。狭間領域１３０および侵出領域１４０はいずれも空気であってもよいが、いずれが一方もしくは両方もしくはそれらの一部分を他の誘電体としてもよく、例えば液体や土としたり真空としたりしてもよい。
【００５７】
また、例えば、侵出領域１４０を保護シートや保護フィルムで被覆することにより、実用に耐えうる強度と、耐久性及び美観とを具備する本シート１００とできる。また、侵出領域１４０と同様に、第２導電体１２０の裏面側、すなわち第２導電体１２０の狭間領域１３０の反対側の面も、保護シートや保護フィルムで被覆することにより、実用に耐えうる強度と、耐久性及び美観とを具備する本シート１００とできる。
【００５８】
第１導電体１１０と第２導電体１２０とは、いずれも二次元的であってシート状に構成される。シート状とは、帯状、布状、紙状、箔状、板状、膜状、フィルム状、メッシュ状など、面としての広がりを持ち、厚さが薄いものを意味する。
【００５９】
また、導電性インクや導電性ゴムを利用し、必要に応じて任意の模様や絵を描きながら、これらを塗装したり吹き付けたりすることによって、第１導電体１１０や第２導電体１２０を構成することができる。またこの場合に、必要に応じて任意の位置からシート１００内に電波を注入し叉は電波を取り出す為に、本シート１００の任意の位置に、適宜くり抜き状をスルーホースや辺縁部、端部等を形成しておいてもよい。
【００６０】
ここで、本シート１００において、第１導電体１１０と第２導電体１２０とに挟まれる狭間領域１３０の間を伝搬する電波モードに注目する。かりに第１導電体１１０がメッシュ状ではなく、開口がない構造であった場合には、電波は狭間領域１３０に閉じ込められる。
【００６１】
また、メッシュの繰返しの単位寸法（メッシュ周期）は、狭間領域１３０における電波長λより十分に短い周期とすることが好ましい。ここで、メッシュの繰り返しの単位寸法とは、典型的にはいわゆるメッシュのマス目を構成する一辺の長さとメッシュ状導体の太さとを加算した値に相当する寸法である。
【００６２】
また、メッシュの繰返しの単位寸法（メッシュ周期）は、典型的には電波長λに対して、λ／５以下、λ／１０〜λ／１００、λ／１００〜λ／１０００などの周期を利用できるが、シート１００の適用分野に応じて、適宜サイズは調整可能である。また、現実の素材を組み合わせて実験を行い、所望の電波の強度が得られるように、侵出領域１４０の高さ（通信範囲）を設定してもよい。
【００６３】
而して、本シート１００は、各展示エリアの通信装置２０ごとに所定の異なる出力設定にて電波を出力している。また、利用者の携帯情報端末３０からの要求があった場合、その要求に関わる情報を受信して収容ボックス２００内の制御装置２１に伝達する。また、コンテンツサーバ１３から送信されてきた展示情報を利用者の携帯情報端末３０に送信する。その他、携帯情報端末３０と各サーバとの間で種々の情報の送受信を行う。
＜携帯情報端末３０＞
【００６４】
前記携帯情報端末３０は、展示を見に来た利用者が携帯し、展示エリアの通信装置２０と無線通信可能な端末である。この携帯情報端末３０は、図４に示すように、各部を制御する制御装置３１と、展示エリアの通信装置２０と通信可能な無線通信装置３２と、展示エリアの展示情報を記憶する記憶装置３３と、ボタンやタッチパネルなどの入出力装置３４とを備えてなる。なお、展示エリアの通信装置２０との間の無線通信は上述のようにWi-Fi通信が用いられる。
【００６５】
また、携帯情報端末３０は、展示主催者側から渡されても良いし、あるいは利用者が所有しているものであってもよい。特に利用者が所有している携帯情報端末３０としては、例えばアップ社のi-phone（登録商標）やi-Pad（登録商標）が挙げられ、この場合には展示場に入場する際に自動または手動で本システムを適用するためのアプリケーションプログラムがインストールされる。
【００６６】
前記無線通信装置３２は、各展示エリアの通信装置２０から出力される電波を受信する電波受信部３２１として機能する。また、無線通信装置３２は、各展示エリアの通信装置２０から送信されてきた展示情報を受信する展示情報受信部３２２としても機能する。
【００６７】
前記制御装置３１は、前記無線通信装置３２により受信された展示エリアの電波の強度を測定する電波強度測定部３１１として機能する。また、前記制御装置３１は、第１の電波強度以上であるか否かを判定する電波強度判定部３１２として機能する。また、制御装置は、某展示エリアの電波の強度が第１の電波の強度以上と判定した場合、当該展示エリアの前記通信装置２０に対して展示情報を要求する展示情報要求部３１３としても機能する。例えば、利用者の携帯情報端末３０が展示エリアの起動通信範囲に入った場合、電波強度判定部３１２が、展示エリアＡの通信装置２０から出力された電波の強度が第１の電波強度以上であると判定することになる。そして、展示情報要求部３１３が、展示エリアＡの通信装置に対して展示情報を要求する。なお、展示エリアＡの通信装置から送信されてきた展示情報「tenji-a.avi」は前記無線通信装置３２により受信されたあと、記憶装置３３に記憶される。
【００６８】
前記入出力装置３４は、例えば携帯情報端末３０におけるタッチパネル式の表示画面からなる。利用者は、この入出力装置３４としての表示画面において指でタッチするなどして種々の情報を入力したり、あるいは出力したりする。特に、この入出力装置３４は、前記記憶装置３３に記憶されている展示エリアの展示情報を視覚的および聴覚的に出力する。例えば、記憶装置３３に展示エリアＡの展示情報「tenji-a.avi」が記憶されている場合、入出力装置３４は展示エリアＡの展示情報「tenji-a.avi」を視覚的および聴覚的に出力する。
【００６９】
この携帯情報端末３０の処理について図１１に示すフローチャートを用いて具体的に説明する。なお、以下の説明及び図面では「ステップ」を「Ｓ」と略記する。
【００７０】
まず、携帯情報端末３０は、各展示エリアの通信装置２０から出力されてる電波の強度を無線通信装置３２から収集し、Ｓ２に進む。
【００７１】
Ｓ２では、無線通信装置３２により受信した電波強度が第１電波強度（本実施形態では−７５dbm）以上であるか否かを判定し、第１電波強度以上であると判定した場合（Ｓ２でＹＥＳ）、Ｓ３に進む。一方、第１電波強度未満であると判定した場合、Ｓ１に戻り、電波の強度を再び収集する。
【００７２】
Ｓ３では、携帯情報端末３０は、第１電波強度以上である展示エリアの通信装置２０のＩＤを取得するとともに、当該展示エリアの通信２０に対して展示情報を要求し、Ｓ４に進む。
【００７３】
このとき通信装置２０は、携帯情報端末３０からの要求に係る情報を無線通信装置２４を介して受信し、認証サーバ１１にて所定の認証を行ったあと、コンテンツサーバ１３に対して当該展示エリアの展示情報を要求する。コンテンツサーバー１３では、当該展示エリアの展示情報を展示情報テーブルから検索して、要求のあった通信装置２０に対して有線通信装置１３３を介して送信する。さらに通信装置２０は、コンテンツサーバから送信されてきた展示情報を有線通信装置２２を介して受信したあと、要求のあった利用者の携帯情報端末３０に対して無線通信装置２４を介して送信する。
【００７４】
Ｓ４では、携帯情報端末３０は、当該展示エリアの通信装置２０から送信されてきた展示情報を無線通信装置３２を介して受信したあと、Ｓ５にて該展示情報を記憶装置に随時記憶し、Ｓ６に進む。展示情報が動画の場合、容量が大きくなるため、受信には一定の時間がかかることがある。
【００７５】
Ｓ６では、記憶装置３３に記憶した展示情報を入出力装置３４に出力し、Ｓ７に進む。
【００７６】
Ｓ７では、無線通信装置により受信した当該展示エリアの電波強度が第１電波強度以上であるか否かを判定し、第１電波強度以上であると判定した場合（Ｓ７でＹＥＳ）、Ｓ６に戻り、展示情報の出力再生を繰り返す。一方、第１電波強度未満であると判定した場合（Ｓ７でＮＯ）、Ｓ８に進む。
【００７７】
Ｓ８では、携帯情報端末３０は、最も電波強度が強い展示エリアの通信装置２０のＩＤを無線通信装置３２を介して収集し、Ｓ９に進む。
【００７８】
Ｓ９では、無線通信装置で収集したＩＤがＳ３で収集した前回ＩＤと一致するか否かを判定し、前回ＩＤと一致すると判定した場合（Ｓ９でＹＥＳ）、Ｓ６に戻り、展示情報の出力再生を繰り返す。一方、前回ＩＤと一致しないと判定した場合（Ｓ９でＮＯ）、Ｓ１に戻り、再び各展示エリアの通信装置２０から出力されている電波の強度を無線通信装置３２から収集する。
【００７９】
次に本システムの全体の動作について、利用者の携帯情報端末３０が展示エリアＡに入った場合にて説明する。
（１）まず、携帯情報端末３０において、展示エリアＡの通信装置２０から電波を受信し、該電波の強度が第１の電波強度以上かどうか判定する。そして、該電波の強度が第１の電波以上であると判定した場合、展示エリアＡの通信装置２０に対して展示エリアＡの展示情報を要求する。
（２）通信装置２０において、携帯情報端末３０から展示エリアＡの展示情報の要求を受信すると、コンテンツサーバ１３に対して展示エリアＡの展示物情報を要求する。
（３）コンテンツサーバ１３において、展示エリアＡの通信装置２０から展示情報の要求があった場合、記憶装置１３２に記憶している展示情報テーブルを参照し、展示エリアＡの展示情報「tenji-a.avi」を検索したあと、当該展示エリアＡの展示情報「tenji-a.avi」を展示エリアＡの通信装置２０に送信する。
（４）通信装置２０において、コンテンツサーバ１３から送信されてきた展示エリアＡの展示情報「tenji-a.avi」を受信したあと、当該展示エリアＡの展示情報「tenji-a.avi」を携帯情報端末３０に送信する。
（５）携帯情報端末３０において、展示エリアＡの通信装置２０から送信されてきた展示情報を受信して、展示エリアＡの展示情報「tenji-a.avi」を入出力装置３４に視覚的および聴覚的に出力する。
【００８０】
なお、本実施形態では、携帯情報端末３０は、例えば展示エリアＡの起動通信範囲（１００cm）に入った場合、第１電波強度（−７５dbm）を受信することにより展示エリアＡの展示情報を受信する。このとき携帯情報端末３０は、他の展示エリアの起動通信範囲に入らない限り、すなわち他の展示エリアの通信装置２０からの第１電波強度（−７５dbm）を受信しない限り、展示情報を出力することとなる。
【００８１】
しかし、上述の起動通信範囲よりも広い「継続通信範囲」が設定され、起動通信範囲を外れてても継続通信範囲に入っていれば、展示エリアの通信装置２０からの展示情報を受信して出力し続けるようにしてもよい。
【００８２】
この継続通信範囲を設定するために、第１電波強度よりも小さい第２電波強度を設定する。上述の図６に示すように、電波強度と距離の間には電波強度が小さくなると距離も遠くなるという関係があるため、第１電波強度よりも小さい第２電波強度を設定すれば、起動通信範囲よりも広い（遠い）継続通信範囲を設定できる。
【００８３】
すなわち、携帯情報端末１０は、電波強度判定部３１２が通信装置２０からの電波の強度が第１の電波強度以上であると判定したあと、さらに当該通信装置２０からの電波の強度が第１の電波強度よりも低い第２の電波強度以上であるか否かを判定し、当該通信装置２０からの電波の強度が第２の電波強度以上であると判定した場合、当該通信装置２０から送信されてきた展示物に関する情報の受信を継続する。一方、当該通信装置２０の電波の強度が第２の電波強度未満であると判定した場合、当該通信装置２０から送信されてきた展示物に関する情報の受信を中止し、さらには展示情報を出力を中止する。
【００８４】
例えば、本実施形態では、図７に示すように、電波強度−８５dbmを第２電波強度としている。この場合、展示エリアＡの通信装置２０では距離５００cm、展示エリアｂの通信装置２０では距離３００cm、展示エリアｃの通信装置２０では距離２００cmとなる。図８に示すように、これらはまさに各展示エリアにおいて利用者の携帯情報端末３０が展示情報の受信を継続するための継続通信範囲となる。
［実施形態２］
【００８５】
次に本発明の第２の実施形態に係る展示情報配信システム（以下、本システムという）について説明する。本実施形態では、携帯情報端末３０が展示エリアの通信装置２０から受信した電波の強度が第１の電波強度以上であるか否かを判定するに際して、電波強度収集サーバ１４にて行っている。
【００８６】
本システムは、図１２に示すように、中央に設置されるサーバ群１０と、各展示エリアに設置される複数の通信装置２０と、各利用者が携帯する複数の携帯情報端末３０とから構成される。また、実施形態１と同様に、サーバ群１０と各通信装置２０は有線ＬＡＮにより通信可能な状態に接続されている。また、各通信装置２０と各携帯情報端末３０は無線により通信可能な状態になっている。
＜サーバ群１０＞
【００８７】
前記サーバ群１０は、利用者の携帯情報端末３０を認証する認証サーバ１１と、利用者の携帯情報端末３０の受信ログを収集するＤＢサーバ１２と、各展示エリアの展示物に関する情報（以下、展示情報という）を保存するコンテンツサーバ１３と、電波強度を収集する電波強度収集する電波強度収集サーバ１４とから構成される。
【００８８】
前記コンテンツサーバ１３は、各展示エリアの展示情報を保存するサーバである。このコンテンツサーバ１３は、図２に示すように、各部を制御する制御装置１３１と、展示情報テーブルを記憶する記憶装置１３２と、展示エリアの展示情報を通信装置２０に送信する有線通信装置１３３を備える。
【００８９】
前記制御装置１３１は、前記電波強度収集サーバ１４からの要求に応じて、所定の展示エリアの展示情報を検索する展示情報検索部１３１１として機能する。例えば、前記電波強度収集サーバ１４から展示エリアＡの展示情報の要求があった場合、記憶装置１３２に記憶している展示情報テーブルを参照し、展示エリアＡの展示情報「tenji-a.avi」を検索する。なお、制御装置１３１は、その他の種々の制御を実行する。
【００９０】
なお、記憶装置１３２や有線通信装置１３３の機能については実施形態１と同一であるため、その詳細な説明を省略する。
【００９１】
前記電波強度収集サーバは、携帯情報端末３０から電波強度を収集などするサーバである。この電波強度収集サーバ１４は、図１３に示すように、各部を制御する制御装置１４１と、各携帯情報端末３０の電波の強度を記憶する記憶装置１４２と、携帯情報端末３０の電波の強度を受信などする有線通信装置１４３を備える。
【００９２】
前記制御装置１４１は、携帯情報端末３０から電波強度を収集する電波強度収集部１４１１として機能する。具体的には、後述するように各展示エリアの通信装置２０は所定強度の電波が出力しており、各展示エリアに存在する携帯情報端末３０は通信装置２０から電波を受信する。そして、電波収集サーバ１４は、携帯情報端末３０が展示エリア内において通信装置２０から受信した電波の強度を携帯携帯情報端末３０から前記通信装置２０を介して取得する。例えば、携帯情報端末３０が展示エリアＡに存在する場合、携帯情報端末３０は特に展示エリアＡの通信装置２０から電波を受信する。そして、電波収集サーバ１４は、携帯情報端末３０が展示エリアＡの通信装置２０から受信した電波の強度を携帯情報端末３０から展示エリアＡの通信装置２０を介して収集する。
【００９３】
なお、電波収集サーバ１４による携帯情報端末３０の電波の強度の収集については、実際には各携帯情報端末３０にアドレスが付されており、各携帯情報端末３０は電波の強度を自己のアドレスなどの情報とともに通信装置２０に送信し、通信装置２０がさらに電波強度収集サーバ１４に送信することにより行われる。
【００９４】
また、制御装置１４１は、収集した携帯情報端末２０の電波の強度が第１の電波強度以上であるか否かを判定する電波強度判定部１４１２として機能する。また、制御装置１４１は、該電波の強度が第１の電波強度以上であると判定した場合、コンテンツサーバ１３に対して、所定の展示エリアの展示情報を携帯情報端末３０に通信装置２０を介して送信することを要求する展示情報要求部１４１３として機能する。例えば、展示エリアＡの携帯情報端末３０から電波の強度を収集した場合、該電波の強度が第１の電波強度以上であるか否かを判定する。そして、その電波の強度が第１の電波強度以上であると判定した場合、コンテンツサーバ１３に対して、展示エリアＡの展示情報を当該携帯情報端末３０に通信装置２０を介して送信することを要求する。
【００９５】
なお、認証サーバ１１とＤＢサーバ１２は実施形態１に示すものと同一であるため、その詳細な説明を省略する。
＜通信装置２０＞
【００９６】
前記通信装置２０は、各展示エリアに設置されたアクセスポイント（基地局）となる通信装置２０である。この通信装置２０は、図１４に示すように、各部を制御する制御装置２１と、各サーバと通信するための有線通信装置２２、展示情報を一時的に記憶する記憶装置２３と、利用者の携帯情報端末３０と通信するための無線通信装置２４とを備える。
【００９７】
前記無線通信装置２４は、所定の強度の電波を出力する電波出力部２４２として機能する。この電波強度については、実施形態１と同様に、各展示エリアの通信装置２０ごとに、図６に示すように、それぞれ所定の異なる出力設定となされている。例えば、展示エリアＡの通信装置２０は出力設定−１２dbm、展示エリアＢの通信装置２０は出力設定−１５dbm、展示エリアＣの通信装置２０は出力設定−１８dbmにて電波を出力している。
【００９８】
また、前記無線通信装置２４は、携帯情報端末３０から送信されてきた電波の強度に関する情報を受信する電波強度受信部２４３として機能する。
【００９９】
また、前記無線通信装置２４は、自己の通信装置２０が設置されている展示エリアの展示情報を携帯情報端末３０に送信する展示情報送信部２４１として機能する。例えば、展示エリアＡの通信装置２０の場合、無線通信装置２４は、コンテンツサーバ１３から送信されてきた展示エリアＡの展示情報「tenji-a.avi」を携帯情報端末３０に送信する。
前記有線通信装置は、前記無線通信装置２４により受信した電波強度に関する情報を電波強度収集サーバ１４に送信する電波強度送信部２２２として機能する。
【０１００】
また、前記有線通信装置２２は、コンテンツサーバ１３から送信されてきた展示エリアの展示情報を受信する展示情報受信部２２１として機能する。例えば、展示エリアＡの通信装置２０の場合、有線通信装置２２は、コンテンツサーバ１３から送信されてきた展示エリアＡの展示情報「tenji-a.avi」を受信する。なお、この展示エリアＡの展示情報「tenji-a.avi」は、制御装置２１により記憶装置２３に一時的に記憶される。
【０１０１】
なお、本実施形態では、通信装置２０はサーバ群１０と携帯情報端末３０との間において、電波強度に関する情報や展示情報の仲介的な役割のみを有するものとしたが、さらに携帯情報端末３０から受信した電波の強度が第１の電波強度より低い第３の電波強度以上であるかどうかを判定し、第３の電波強度以上であると判定した場合に、携帯情報端末３０から受信した電波の強度に関する情報を電波強度収集サーバ１４に送信するものとしてもよい。すなわち、携帯情報端末３０から受信した電波の強度に関する情報を全て電波強度収集サーバに送信するのではなく、予め設定した第３の強度以上のものだけ電波強度収集サーバ１４に送信することによって、サーバの負荷を軽減させることができる。
【０１０２】
また、通信装置２０の一例として図９に示す電波伝達シートが用いられるのが好ましい。
＜携帯情報端末３０＞
【０１０３】
前記携帯情報端末３０は、展示を見に来た利用者が携帯し、展示エリアの通信装置２０と無線通信可能な端末である。この携帯情報端末３０は、図１５に示すように、各部を制御する制御装置３１と、展示エリアの通信装置２０と通信可能な無線通信装置３２と、展示エリアの展示情報を記憶する記憶装置３３と、ボタンやタッチパネルなどの入出力装置３４とを備えてなる。
【０１０４】
前記無線通信装置３２は、各展示エリアの通信装置２０から出力される電波を受信する電波受信部３２１として機能する。また、無線通信装置３２は、各展示エリアの通信装置２０から送信されてきた展示情報を受信する展示情報受信部３２２としても機能する。また、無線通信装置３２は、携帯情報端末３０を展示エリアの通信装置２０から受信した電波の強度に関する情報を送信する電波強度送信部３２２として機能する。
【０１０５】
前記制御装置３１は、前記無線通信装置３２により受信された展示エリアの電波の強度を測定する電波強度測定部３１１として機能する。また、制御装置３１は、測定した電波の強度に自己のアドレスなどの情報を付加して、無線通信装置３２により当該通信装置２０に送信させる。また、無線通信装置３２により展示エリアの通信装置２０からの展示情報を受信した場合、該展示情報を記憶装置３３に記憶させる。例えば、利用者の携帯情報端末３０が展示エリアＡの起動通信範囲に入った場合、展示エリアＡの通信装置２０から受信した電波を測定して、該電波の強度に自己のアドレスなどの情報を付加したあと、展示エリアＡの通信装置２０に送信する。また、展示エリアＡの通信装置２０から展示情報「tenji-a.avi」を受信した場合、該展示エリアＡの展示情報「tenji-a.avi」を記憶装置３３に記憶する。
【０１０６】
前記入出力装置３４は、例えば携帯情報端末３０におけるタッチパネル式の表示画面からなる。利用者は、この入出力装置３４としての表示画面において指でタッチするなどして種々の情報を入力したり、あるいは出力したりする。特に、この入出力装置３４は、前記記憶装置３３に記憶されている展示エリアの展示情報を視覚的および聴覚的に出力する。例えば、記憶装置３３に展示エリアＡの展示情報「tenji-a.avi」が記憶されている場合、入出力装置３４は展示エリアＡの展示情報「tenji-a.avi」を視覚的および聴覚的に出力する。
【０１０７】
次に本システムの全体の動作について、携帯情報端末２０が展示エリアＡに存在する場合にて説明する。
（１）まず、携帯情報端末３０において、展示エリアＡの通信装置２０から電波を受信し、該電波の強度を測定したあと自己のアドレスなどの情報を付加して、展示エリアＡの通信装置２０に送信する。
（２）通信装置２０において、携帯情報端末３０から送信されてきた電波の強度に関する情報を受信したあと、電波強度収集サーバ１４に送信する。
（３）電波強度収集サーバ１４において、展示エリアＡの通信装置２０から送信されてきた携帯情報端末３０の電波の強度が第１の電波強度以上であるか否かを判定し、該電波の強度が第１の電波強度以上であると判定した場合、コンテンツサーバ１３に対して展示エリアＡの展示情報の送信を要求する。
（４）コンテンツサーバ１３において、展示エリアＡの展示情報を展示情報テーブルから検索し、展示エリアＡの通信装置２０に送信する。
（５）通信装置２０において、コンテンツサーバ１３から送信されてきた展示エリアＡの展示情報を受信したあと、携帯情報端末３０に対して送信する。
（６）携帯情報端末３０において、通信装置２０から送信されてきた展示エリアＡの展示情報を受信したあと、入出力装置に視覚的および／または聴覚的に出力して、利用者の閲覧に供する。
【０１０８】
なお、本実施形態でも、実施形態１と同様に、上述の起動通信範囲よりも広い「継続通信範囲」が設定され、起動通信範囲を外れてても継続通信範囲に入っていれば、展示エリアの通信装置２０からの展示情報を受信して出力し続けるようにしてもよい。
【０１０９】
この継続通信範囲を設定するために、第１電波強度よりも小さい第２電波強度を設定する。上述の図６に示すように、電波強度と距離の間には電波強度が小さくなると距離も遠くなるという関係があるため、第１電波強度よりも小さい第２電波強度を設定すれば、起動通信範囲よりも広い（遠い）継続通信範囲を設定できる。
【０１１０】
すなわち、電波強度収集サーバ１４は、電波強度判定部１４１２が携帯情報端末３０の電波の強度が第１の電波強度以上であると判定したあと、さらに該電波の強度が第１の電波強度よりも低い第２の電波強度以上であるか否かを判定し、該電波の強度が第２の電波強度以上であると判定した場合、携帯情報端末３０に対して当該展示エリアの展示物に関する情報を通信装置２０を介して送信することを継続する。一方、該電波の強度が第２の電波強度未満であると判定した場合、前記携帯情報端末に対して当該展示エリアの展示物に関する情報を前記通信装置を介して送信すること中止する。
【０１１１】
例えば、本実施形態でも、図７に示すように、電波強度−８５dbmを第２電波強度としている。この場合、展示エリアＡの通信装置２０では距離５００cm、展示エリアｂの通信装置２０では距離３００cm、展示エリアｃの通信装置２０では距離２００cmとなる。図８に示すように、これらはまさに各展示エリアにおいて利用者の携帯情報端末３０が展示情報の受信を継続するための継続通信範囲となる。
【０１１２】
なお、第１および第２実施形態では、いずれも通信装置として電波伝達シートを用いるものとしたが、その他の通信装置であってもよい。
【０１１３】
また、第１および第２実施形態では、通信装置と携帯情報端末は、Wi-Fi通信により互いに無線通信するものとしたが、その他の方法により無線通信してもよい。
【０１１４】
また、第１および第２実施形態では、コンテンツサーバ１３、通信装置２０、携帯情報端末３０は、いずれも上記構成に限定されるものではなく、種々に設計変更可能である。
【０１１５】
また、第２実施形態では、各種サーバ１１〜１４は４つに構成するものとしたが、一つまたは４つ以外の複数個に構成してもよい。
【符号の説明】
【０１１６】
１０…サーバ
１１…認証サーバ
１２…ＤＢサーバ
１３…コンテンツサーバ
２０…通信装置
３０…携帯情報端末
【図１】
0005200135.tif 000002
【図２】
0005200135.tif 000003
【図３】
0005200135.tif 000004
【図４】
0005200135.tif 000005
【図５】
0005200135.tif 000006
【図６】
0005200135.tif 000007
【図７】
0005200135.tif 000008
【図８】
0005200135.tif 000009
【図９】
0005200135.tif 000010
【図１０】
0005200135.tif 000011
【図１１】
0005200135.tif 000012
【図１２】
0005200135.tif 000013
【図１３】
0005200135.tif 000014
【図１４】
0005200135.tif 000015
【図１５】
0005200135.tif 000016